(57)【要約】【課題】脚部を床に固定したのちに容易に係合リングの向きを調整することができる戸当りを提供する。【解決手段】脚部の開放側の外周面に嵌合されたキャップが、前記キャップが、互いに着脱自在に連結された上部分と下部分とからなり、前記上部分が軟質の材料で作製されるとともに前記下部分が上部分よりも硬い硬質の材料で作製され、前記上部分および下半分の接合面付近における下半分には、一対の係合孔が形成され、略Ｕ字状を呈する係合リングの両端部が、前記一対の係合孔に揺動自在に挿入され、前記キャップが、外部から操作力を受けるときに前記脚部の外周面とのあいだで摩擦力を生じながら回転することができるように前記脚部の外周面に嵌合されている戸当り。【選択図】　　　　図１
2004124472.tif 000002
【特許請求の範囲】
【請求項１】
有底筒体からなり、底部にネジ切りされた孔が形成された脚部、および前記脚部の開放側の外周面に嵌合されたキャップを有する戸当りであって、
前記キャップが、互いに着脱自在に連結された上部分と下部分とからなり、前記上部分が軟質の材料で作製されるとともに前記下部分が上部分よりも硬い硬質の材料で作製され、前記上部分および下半分の接合面付近における下半分には、一対の係合孔が形成され、
略Ｕ字状を呈する係合リングの両端部が、前記一対の係合孔に揺動自在に挿入され、
前記キャップが、外部から操作力を受けるときに前記脚部の外周面とのあいだで摩擦力を生じながら回転することができるように前記脚部の外周面に嵌合されてなる戸当り。
【請求項２】
前記脚部の外周面において、前記キャップの下半分に当接するストッパが突設されてなる請求項１記載の戸当り。
【請求項３】
前記キャップの上半分および下半分を連結するための連結部をさらに備えてなる請求項１または２記載の戸当り。
【発明の詳細な説明】
【０００１】
【発明の属する技術分野】
本発明は戸当りに関する。さらに詳しくは、脚部を床に固定したのちに容易に係合リングの向きを調整することができる戸当りに関する。
【０００２】
【従来の技術】
従来より、戸の開閉に伴う戸または壁面の損傷を防ぐために、床に据え付けるタイプの戸当りが用いられている。
【０００３】
従来の床据付けタイプの戸当りは、有底筒体からなり、底部にネジ切りされた孔が形成された脚部と、脚部の開放側の外周面に嵌合されたゴムまたは合成樹脂などからなるキャップとから構成されている。そして、脚部を床に突設されたアンカーボルトに螺着して戸当りを戸の全開位置付近に設置することにより、緩衝体であるキャップに勢いよく開く戸を当てることができ、戸または壁面の損傷を防ぐことができる（たとえば、特許文献１および２参照）。
【０００４】
また、戸を全開位置に固定するために、戸当りの脚部に略Ｕ字状の係合リングを取り付け、かかる係合リングを戸に取り付けられたフックに係合させるようにした戸当りも従来より提案されている。
【０００５】
【特許文献１】
特開平６−２２９１６６号公報
【特許文献２】
特開２０００−３８８６８号公報
【０００６】
【発明が解決しようとする課題】
しかし、係合リングを脚部に取り付けた戸当りでは、脚部を床のアンカーボルトに螺着したときに、係合リングが戸側のフックにまっすぐ向かない場合がある。そのため、係合リングの向きを調整するために、脚部をアンカーボルトに対して若干ゆるめた位置まで戻す必要があり、脚部の固定状態が弱くなるという問題がある。
【０００７】
また、係合リングをキャップに取り付けることも考えられるが、この場合、係合リングの両端部をキャップに形成された一対の係合孔に挿入して取り付けられる。しかし、従来より一般に用いられているキャップは、戸の衝突に対し緩衝体として機能させるべく軟質材料で作製されているため、係合リングが強く引っ張られた場合にキャップの係合孔周辺部が損傷するという問題がある。
【０００８】
本発明はかかる問題を解消するためになされたものであり、脚部を床に固定したのちに容易に係合リングの向きを調整することができる戸当りを提供することを目的とする。
【０００９】
【課題を解決するための手段】
本発明の戸当りは、有底筒体からなり、底部にネジ切りされた孔が形成された脚部、および前記脚部の開放側の外周面に嵌合されたキャップを有する戸当りであって、
前記キャップが、互いに着脱自在に連結された上部分と下部分とからなり、前記上部分が軟質の材料で作製されるとともに前記下部分が上部分よりも硬い硬質の材料で作製され、前記上部分および下半分の接合面付近における下半分には、一対の係合孔が形成され、
略Ｕ字状を呈する係合リングの両端部が、前記一対の係合孔に揺動自在に挿入され、
前記キャップが、外部から操作力を受けるときに前記脚部の外周面とのあいだで摩擦力を生じながら回転することができるように前記脚部の外周面に嵌合されてなることを特徴としている。
【００１０】
前記脚部の外周面において、前記キャップの下半分に当接するストッパが突設されてなるのが好ましい。
【００１１】
前記キャップの上半分および下半分を連結するための連結部をさらに備えてなるのが好ましい。
【００１２】
【発明の実施の形態】
つぎに図面を参照しながら本発明の戸当りをさらに詳細に説明する。
【００１３】
図１は本発明の戸当りの一実施の形態を示す斜視説明図、図２は図１の戸当りのキャップの上部分および内キャップを取った状態を示す平面説明図、図３は図１の戸当りの縦断面図、および図４は図１の脚部を上から見た図である。
【００１４】
本実施の形態の戸当り１は、図１〜４に示されるように、有底筒体からなり、底部にネジ切りされためねじ孔６が形成された脚部１と、脚部１の開放側の外周面に嵌合されたキャップ２と、キャップ２に揺動自在に取り付けられた略Ｕ字状の係合リング３と、キャップ２の開放側端部を覆う内キャップ４とからなる。
【００１５】
脚部１は、亜鉛ダイカストなどからなる鋳物製の有底筒体からなり、底部５にネジ切りされためねじ孔６が形成されている。ネジ切りされためねじ孔６は、床に突設されたアンカーボルトのおねじ部などに螺入される。また、脚部１の内壁には、内キャップ４のつば部７を支持するための複数の縦リブ８が形成されている。また、脚部１の外周面および底面などの外面には、ニッケルクロムメッキなどのメッキまたは塗装などの防錆処理が施されているのが好ましい。
【００１６】
さらに、脚部１の上端から側壁の一部がＵ字状に切り欠かれることにより、係合孔９が形成されているため、この係合孔９に鉄棒（図示せず）などを差し込むことにより、戸当りを容易にアンカーボルトのおねじ部にねじ込むことができる。
【００１７】
さらに、脚部１の外周面には、キャップ２の下半分１１に当接する少なくとも１個、好ましくは複数個のストッパ１ａが突設されているため、キャップ２の下半分１１が下降するのを防止することができる。
【００１８】
キャップ２は、互いに着脱自在に連結された上部分１０と下部分１１とからなり、上部分１０は戸が当たったときの緩衝機能を発揮し得る、天然ゴム（ＮＲ−５０など）、スチレンブタジエンゴムやネオプレン（商品名）などの合成ゴム、軟質塩化ビニル樹脂などの軟質の材料で作製されており、一方、下部分１１は、係合リング３を確実に把持できるように上部分１０よりも硬い、ＡＢＳ樹脂、ポリアセタールなどの硬質の材料で作製されている。
【００１９】
上部分１０および下半分１１の接合面１２付近における下半分１１には、一対の係合孔１３が形成され、係合リング３の両側の端部１４が、前記一対の係合孔１３に揺動自在に挿入されている。
【００２０】
また、キャップ２には、上半分１０および下半分１１を連結するために、下半分１１に突設された突起１６と上半分１０に形成された凹部１７とからなる連結部１５が設けられているため、上半分１０、下半分１１および係合リング３は、常に一体となって回転することができる。
【００２１】
本実施の形態では、連結部１５として、突起１６および凹部１７をそれぞれ２個づつ設けている例が示されているが、本発明はこれに限定されるものではなく、突起および凹部を単数づつまたは３個以上の複数個設けてもよい。さらに、突起１６および凹部１７の連結部の他にも、ピンなどの他の連結部を採用してもよい。
【００２２】
キャップ２は、少なくとも手などによって操作力を受けるときに脚部１の外周面とのあいだで摩擦力を生じながら回転することができる程度の固さで、脚部１の外周面に嵌合されている。
【００２３】
内キャップ４は、脚部１の開放側の開口部を覆う大きさのつば部７中央の凸部１８とを備えている。内キャップ４は、ステンレス、真ちゅうまたはアルミニウムなどによって作製される。内キャップ４の凸部１８は、前記キャップ２の上半分１０の上面に形成された孔を通して外部に露出している。
【００２４】
以上のように構成された本実施の形態の戸当りを取り付ける場合、まず脚部１のめねじ孔６を床のアンカーボルトのおねじ部に強固に螺合させる。ついで、キャップ２または係合リング３を手で持ちながら回転させるだけで、係合リング３の向きを戸側のフックに向くように容易に調整することができる。
【００２５】
しかも、係合リング３の着脱をする場合、図１〜２に示されるように、キャップ２の上半分１０を上方から取り外したのち、下半分１１の係合孔１３に係合リング３を係合させるだけで容易に着脱することができる。
【００２６】
【発明の効果】
本発明の戸当りは、脚部を床に固定したのちに手などでキャップを回転操作するだけで係合リングの向きを容易に調整することができる。
【図面の簡単な説明】
【図１】本発明の戸当りの一実施の形態を示す斜視説明図である。
【図２】図１の戸当りのキャップの上部分および内キャップを取った状態を示す平面説明図である。
【図３】図１の戸当りの縦断面図である。
【図４】図１の脚部を上から見た図である。
【符号の説明】
１　脚部
２　キャップ
３　係合リング
４　内キャップ
【図１】
2004124472.tif 000003
【図２】
2004124472.tif 000004
【図３】
2004124472.tif 000005
【図４】
2004124472.tif 000006